(57)【要約】【課題】携帯端末に登録されている宛先との送受信を遠隔から柔軟に操作することが可能な携帯端末装置を提供すること。【解決手段】メールでの通信相手のアドレスを管理可能なアドレス帳記憶手段と、メールを送信したい通信相手および通信内容を受信する送信受付手段と、前記送信受付手段により受付けた通信相手を前記アドレス帳から検索する検索手段と、前記検索手段で前記通信相手が検索できた場合に、前記通信相手に前記受付手段により受付けた通信内容を送信する送信手段とを有することを特徴とする。【選択図】図１
2015172955.tif 000002
【特許請求の範囲】
【請求項１】
メールの送受信機能を有する携帯端末装置であって、
前記メールでの通信相手のアドレスを管理可能なアドレス帳記憶手段と、
メールを送信したい通信相手および通信内容を受信する送信受付手段と、
前記送信受付手段により受付けた通信相手を前記アドレス帳から検索する検索手段と、
前記検索手段で前記通信相手が検索できた場合、前記通信相手に前記受付手段により受付けた通信内容を送信する送信手段と、
を有することを特徴とする携帯端末装置。
【請求項２】
前記通信相手は、前記アドレス帳に登録されている文字列であることを特徴とする請求項１記載の携帯端末装置。
【請求項３】
前記送信受付手段は電子メールにより受付けをするものであって、
前記送信手段により送信した相手から返信メールを受付けた場合、前記送信受付手段が受付けた受付元のアドレスへ前記返信メールを転送する返信メール転送手段と、
を有することを特徴とする請求項１または２記載の携帯端末装置。
【請求項４】
メールの送受信機能および前記メールでの通信相手のアドレスを管理可能なアドレス帳記憶手段を有する携帯端末装置の制御方法であって、
メールを送信したい通信相手および通信内容を受信する送信受付ステップと、
前記送信受付ステップにより受付けた通信相手を前記アドレス帳から検索する検索ステップと、
前記検索ステップで前記通信相手が検索できた場合、前記通信相手に前記受付ステップにより受付けた通信内容を送信する送信ステップと、
を有することを特徴とする携帯端末装置の制御方法。
【請求項５】
メールの送受信機能および前記メールでの通信相手のアドレスを管理可能なアドレス帳記憶手段を有する携帯端末装置を、
メールを送信したい通信相手および通信内容を受信する送信受付手段と、
前記送信受付手段により受付けた通信相手を前記アドレス帳から検索する検索手段と、
前記検索手段で前記通信相手が検索できた場合、前記通信相手に前記受付手段により受付けた通信内容を送信する送信手段と、
を有することを特徴とする携帯端末装置として機能させるためのプログラム。
【発明の詳細な説明】
【技術分野】
【０００１】
携帯端末に対して受信があった場合の動作を遠隔から設定可能とする携帯端末装置、携帯端末装置の制御方法、およびそのプログラムに関する。
【背景技術】
【０００２】
携帯電話などの携帯端末を携行し忘れた日に、携帯端末に対してメール受信や電話着信などのメッセージを受信する場合がある。このようなケースでは、携帯端末の持ち主は受信したメッセージの内容を確認することができない。メッセージの発信者は、携帯端末が携行されているか、また、メッセージが相手側に伝わったかどうか知ることができない。
【０００３】
このように携帯電話を自宅等に置き忘れてしまった場合の対処方法として、携帯電話に対して外部からメッセージを設定し音声通話および電子メール双方の着信があった場合の対処方法が提案されている。
【０００４】
特許文献１では、外出先から自動応答メッセージを設定することにより、音声通話および電子メールの着信に対して、予め設定したメッセージにて自動応答する技術が提案されている。
【０００５】
特許文献２では、携帯電話に対して外部から音声通話および電子メールの着信があった場合のメッセージを設定しておき、携帯電話に対して外部から所定の操作（一定時間内に所定回数以上携帯電話に電話する等）がされると、設定したメッセージを通知する技術が提案されている。
【先行技術文献】
【特許文献】
【０００６】
【特許文献１】特開２００４−２６０４１６号公報
【特許文献２】特開２００７−３２９５８７号公報
【発明の概要】
【発明が解決しようとする課題】
【０００７】
しかしながら、特許文献１の技術では、アドレス帳に登録された相手からメールを受信した場合、予め設定しておいたメッセージを、遠隔操作により、予め登録しておいた相手に対して発信することはできるが、送信先はメッセ―ジの内容を柔軟に設定することができないという問題点があった。
【０００８】
また特許文献２の技術では、携帯端末に所定の操作があった場合には、発信者に対してメッセージを通知することはできるが、送信するメッセージはあらかじめ設定しておく必要があるため、ひつような内容を柔軟に発信することができないという問題点があった。
【０００９】
そこで、本願発明では、携帯端末に登録されている宛先との送受信を遠隔から柔軟に操作することが可能な携帯端末装置を提供することを課題とする。
【課題を解決するための手段】
【００１０】
本発明は、メールの送受信機能を有する携帯端末装置であって、前記メールでの通信相手のアドレスを管理可能なアドレス帳記憶手段と、メールを送信したい通信相手および通信内容を受信する送信受付手段と、前記送信受付手段により受付けた通信相手を前記アドレス帳から検索する検索手段と、前記検索手段で前記通信相手が検索できた場合、前記通信相手に前記受付手段により受付けた通信内容を送信する送信手段とを有することを特徴とする。
【発明の効果】
【００１１】
本発明によれば、携帯端末に登録されている宛先との送受信を遠隔から操作することが可能となる。
【図面の簡単な説明】
【００１２】
【図１】本発明の実施形態における携帯端末装置を利用したシステム構成を示す図である。
【図２】本発明の実施形態における携帯端末１０２の機能構成を示す図である。
【図３】本発明の実施形態における携帯端末装置を適用可能な情報処理装置のハードウェア構成図である。
【図４】本発明の実施形態におけるアドレス管理情報の一例を示す図である。
【図５】本発明の実施形態における留守番機能を利用する際の携帯端末の画面遷移を示す図である。
【図６】本発明の実施形態におけるパスワードリセット機能を利用する際の携帯端末の画面遷移の一例を示す図である。
【図７】本発明の実施形態における留守番転送機能利用時の携帯端末の画面遷移の一例を示す図である。
【図８】本発明の実施形態における各種データベース（ＤＢ）の一例を示す図である。
【図９】本発明の実施形態における携帯端末１０２の処理全体を示すフローチャートである。
【図１０】本発明の実施形態における携帯端末１０２留守番転送処理の一例を示すフローチャートである。
【図１１】本発明の実施形態における携帯端末１０２のフォーマット取得処理の一例を示すフローチャートである。
【図１２】本発明の実施形態における携帯端末１０２の留守番処理の一例を示すフローチャートである。
【図１３】本発明の実施形態におけるパスワードリセット処理の一例を示すフローチャートである。
【図１４】本発明の実施形態における携帯端末１０２の留守番機能に係る各種設定画面の一例を示す図である。
【図１５】本発明の実施形態における携帯端末１０２のモード切り替えに係る画面遷移の一例を示す図である。
【発明を実施するための形態】
【００１３】
以下、添付図面を参照しながら、本発明に係る情報処理装置および送信先指定方法およびそのプログラムの実施形態について詳細に説明する。
【００１４】
図１は、本発明の実施形態における携帯端末装置を利用したシステム構成を示す図である。
【００１５】
携帯端末１０２は、特許花子さんが所有する携帯端末であって、特許花子さんの自宅に置き忘れられたものである。携帯端末は、携帯電話であってもよいし、通信機能を有するタブレット端末のようなものでもよい。
【００１６】
情報処理装置１０１は、特許花子さんが外出先などの外部環境から利用可能な情報処理装置であって、通信機能を有するものであれば、パソコンでも携帯端末でもよい。
【００１７】
携帯端末１０３は、特許太郎さんが所有する携帯端末であって、携帯電話であってもよいし、通信機能を有するタブレット端末でもよいし、パソコン端末でもよい。
【００１８】
このように、特許花子さんは自身が所有する携帯端末を自宅などに置き忘れた状態で、携帯端末１０３を利用した特許太郎さんから携帯端末１０２に着信があった場合に、携帯端末１０２は、外出先の情報処理装置１０１に着信を転送するように構成されている。
【００１９】
また、外出先の情報処理装置１０１から自宅の携帯端末１０２に返信をすると、携帯端末１０２は、携帯端末１０３宛てに転送するように構成されている。
【００２０】
情報処理装置１０１、携帯端末１０２および携帯端末１０３は、公衆回線１０４を介して接続可能な状態となっている。
【００２１】
図２は、本発明の実施形態における携帯端末１０２の機能構成を示す図である。
【００２２】
携帯装置１０２は、制御部２０１、通信部２０２、通信相手選択部２０３、アドレス記憶部２０４、パスワード管理部２０５、パスワード記憶部２０６、宛先確認フラグ記憶部２０７、自動転送フラグ記憶部２０８、フォーマット記憶部２０９、留守番情報記憶部２１０、表示部２１１から構成される。
【００２３】
制御部２０１では、通信制御、メール送受信等、携帯電話機に必要な一般的な制御処理を実行するほか、本発明に特有な各種制御処理を実行する。
【００２４】
通信部２０２では、変復調回路や信号処理回路等を含み、基地局と通信する機能を有する。音声通話やメールの送受信、ブラウザでのデータの送受信などを行う。また、無線ＬＡＮ通信などによるネットワーク接続も可能である。
【００２５】
通信相手選択部２０３では、後述する留守番機能でメールを送信する通信相手を選択する機能を有する。
【００２６】
アドレス帳記憶部２０４では、氏名、電話番号、メールアドレス等を登録したいわゆるアドレス帳を記憶する機能を有する。アドレス帳に記憶された宛先と通信する場合などに、通信相手選択部２０３と連携を行う。
【００２７】
パスワード管理部２０５では、受信したメール内にパスワードがある場合は、パスワード記憶部２０６に保存されているパスワードと照合し、さらには、パスワードリセット機能を有する。パスワードは複数管理することが可能である。
【００２８】
パスワード記憶部２０６は、パスワード管理部で管理するパスワードを記憶する機能を有する。本実施形態では、別のものとして記載しているが、パスワード管理部２０５とパスワード記憶部２０６はひとつの構成とすることも可能である。
【００２９】
宛先確認フラグ記憶部２０７は、通信相手選択部２０３で選択した通信相手が正しいかどうか宛先確認メールをするか否かのフラグを記憶する機能を有する。宛先確認メールをするか否かはあらかじめ設定しておくことが可能な設定項目である。
【００３０】
自動転送フラグ記憶部２０８は、留守番情報記憶部に登録されたアドレスからメールがあった際に、自動転送するか否かのフラグを記憶する機能を有する。自動転送するか否かはあらかじめ設定しておくことが可能な設定項目である。
【００３１】
フォーマット記憶部２０９は、パスワードリセット機能、留守番機能のメールフォーマット、および各機能を判断するメールの件名を記憶する機能を有する。メールの件目に関してはあらかじめ設定しておくことが可能な設定項目である。
【００３２】
留守番情報記憶部２１０は、通信先の宛先情報と通信元の宛先情報を対応させて記憶する機能を有する。
【００３３】
表示部２１１は、液晶等のディスプレイを含み、制御部２０１の指示により、当該ディスプレイに設定画面やメール等を表示する機能を有する。
【００３４】
図３は、本発明の実施形態における携帯端末装置を適用可能な情報処理装置のハードウェア構成図である。携帯端末１０２に適応可能である。
【００３５】
プログラム用ＲＯＭ３０３に記憶されたプログラムに基づいてシステムバス３００に接続された各デバイスを制御し、情報処理装置全体を統括制御する。
【００３６】
また、データ用ＲＯＭ３０４には各種データが記憶される。３０２はＲＡＭで、ＣＰＵ３０１の主メモリ，ワークエリア等として機能する。
【００３７】
３０５はキーボードコントローラ（ＫＢＣ）で、キーボード（ＫＢ）３０９や図示しない、例えばテンキーやマウスなどのポインティングデバイスからの入力を制御する。キーボードやポインティングデバイスは、携帯端末の本体と一体となっていたり、携帯端末の画面内にソフトウェアキーボードなどのように表示されるものを利用することも可能である。
【００３８】
３０６はディスプレイコントローラ（ＤＣ）で、ディスプレイ３１０の表示を制御する。なお、ディスプレイはＣＲＴであってもＬＣＤ等のその他の形式の表示装置であってもよい。
【００３９】
３０７はメモリコントローラ（ＭＣ）で、ハードディスク（ＨＤ）３１１とのアクセスを制御する。
【００４０】
３０８は周辺機器接続インタフェース（ＵＳＢ  Ｉ／Ｆ）で、図示しない可搬型記憶媒体やその他の周辺機器とのアクセスを制御する。
【００４１】
３２０はネットワークインタフェース（ＮＷ  Ｉ／Ｆ）で、ネットワークを介して他の情報処理装置との通信を制御する。ネットワークの種類としては、無線ＬＡＮであってもよい。また、情報処理装置が通話機能を有する場合には、通話用インタフェースとして、電子メール機能を有する場合には、電子メール用インタフェースとして制御する。
【００４２】
図４は、本発明の実施形態におけるアドレス管理情報の一例を示す図である。
【００４３】
持ち主情報４０１、アドレス帳４０２は、携帯端末１０２のアドレス帳記憶部２０４で管理される。アドレス帳記憶部はＨＤ３１１に記憶される。ＲＡＭ３０２やデータＲＯＭ３０４などに記憶するようにしてもよい。
【００４４】
持ち主情報４０１は、この携帯端末１０２の持ち主に関する情報が記憶されている。登録番号はアドレス帳４０２と共通で利用しており、一意な番号で識別可能なように設定されている。持ち主情報の識別番号に関しては設定することもしないこともできる任意の項目である。
【００４５】
電話１には、この携帯端末で着信可能な電話番号が記憶されている。メールアドレス１には、この携帯端末で着信可能なメールアドレスが記憶されている。その他、電話２欄・メールアドレス２欄などを任意の情報を記憶する項目として利用することが可能である。
【００４６】
アドレス帳４０２は、いわゆる一般的なアドレス帳のことで、メールアドレスなどを管理することができる。グループ欄には「１（家族）」と設定されており、複数のアドレス（登録番号）を共通なグループとして管理することができる。「氏名」「ヨミ」「グループ」欄は通信相手を選択する際の検索ワードとして利用される。
【００４７】
メールアドレスなどが複数登録されている場合には、（例えば電話１など）通常使うように設定されているアドレスを利用することとする。
【００４８】
また、メールを作成する際にアドレス帳から相手の名前を選ぶだけでメールアドレスを入力することができる。メールアドレス以外にも電話番号や住所など、様々な個人情報を管理できるものもある。
【００４９】
図５は、本発明の実施形態における留守番機能を利用する際の携帯端末の画面遷移を示す図である。
【００５０】
メール画面５０１は、情報処理装置１０１（外部環境）から携帯端末１０２（特許花子さんの携帯）宛てに留守番機能フォーマット取得のためのメールを送信する画面である。「件名」に「留守番フォーマット取得」と設定し、「本文」にパスワードを入力して送信するものとする。
【００５１】
メール画面５０２は、留守番機能フォーマット取得のためのメールを受信した携帯端末１０２の返信画面を示す画面である。この内容が携帯端末１０２から情報処理装置１０１に送信される。「差出人」が携帯端末１０２のアドレス、宛先が情報処理装置１０１のアドレスとなっており、「本文」に、パスワード（ＰＷ）、メッセージ（ＭＳ）および送信したいユーザ（ＵＳ）の記載を促すようになっている。この組み合わせが「留守番機能」のフォーマットとなる。フォーマットに関する説明については後述する。
【００５２】
メール画面５０３は、フォーマットを取得した情報処理装置１０１が「ＰＷ」、「ＭＳ」および「ＵＳ」を記入したメールの送信画面を示す画面である。ここで「ＰＷ」に入力された値はあらかじめ本機能を利用するために設定されたパスワードである。「ＭＳ」は、携帯端末１０３（特許太郎さんの携帯）に送信したいメッセージである。「ＵＳ」は送信したいユーザの宛先であり、この場合は、携帯端末１０２のアドレス帳に記憶されている氏名である。「ＵＳ」欄は、アドレスを直接入力することや、氏名をカナで入力することや、グループを利用することが可能となっている。グループが選択された場合、グループに登録されているアドレスに送信されることになる。
【００５３】
ここで、携帯端末１０３に送信する前に携帯端末１０２で内容を確認することができる。送信前に宛先を確認するか否かをあらかじめ設定する機能であって、詳細については、後述する。
【００５４】
メール画面５０４は、宛先の確認機能が「ＯＮ」になっていた場合に、携帯端末１０２から情報処理装置１０２に送信される画面である。「ＵＳ」には特許太郎さんのグループ（ＧＰ）が表示されるようになっている。またセキュリティチェック（ＳＥ）として確認内容が正しいかどうかのフラグの入力を促すようになっている。
【００５５】
メール画面５０５は、宛先の確認に対する返信画面である。「ＳＥ」にＯＫを表わす「１」を入力して返信する。「０」を入力して返信すると、携帯端末１０３（特許太郎さんの携帯端末）には送信されないことになる。
【００５６】
メール画面５０６は、携帯端末１０２から携帯端末１０３へのメール画面である。宛先確認が「ＯＦＦ」になっていた場合、メール画面５０３の画面から遷移される。
【００５７】
これにより、携帯端末１０２（特許花子さんの携帯端末）を遠隔の情報処理装置（外部環境）から操作して、携帯端末１０３（特許太郎さんの携帯端末）にメールを送信することができる。
【００５８】
また、特許太郎さんのメールアドレスが携帯端末１０２のアドレス帳にしか控えていないような場合でも、遠隔から特許太郎さんにメールを送信することができる。
【００５９】
図６は、本発明の実施形態におけるパスワードリセット機能を利用する際の携帯端末の画面遷移の一例を示す図である。
【００６０】
メール画面６０１で、情報処理装置１０１（外部環境）から携帯端末１０２（特許花子さんの携帯）宛てにパスワードリセットフォーマット取得のためのメールを送信する画面である。「件名」に「パスワードフォーマット取得」と設定し、「本文」にパスワードを入力して送信するものとする。
【００６１】
メール画面６０２は、パスワードリセットフォーマット取得のためのメールを受信した携帯端末１０２の返信画面を示す画面である。この内容が携帯端末１０２から情報処理装置１０１に送信される。「差出人」が携帯端末１０２のアドレス、宛先が情報処理装置１０１のアドレスとなっており、「本文」に、パスワード（ＰＷ）、リセット確認（ＲＳ）の記載を促すようになっている。この組み合わせが「パスワードリセット」のフォーマットとなる。フォーマットに関する説明については後述する。
【００６２】
メール画面６０３は、フォーマットを取得した情報処理装置１０１が「ＰＷ」、「ＲＳ」を記入したメールの送信画面を示す画面である。ここで「ＰＷ」に入力された値はあらかじめ本機能を利用するために設定されたパスワードである。「ＲＳ」は、パスワードがリセットされることへの確認のフラグであり、ＯＫであれば「１」、ＮＧであれば「０」を記入するようになっている。
【００６３】
図７は、本発明の実施形態における留守番転送機能利用時の携帯端末の画面遷移の一例を示す図である。
【００６４】
後述の転送ＤＢに登録されているアドレスから携帯端末１０２がメールを受信した際に、情報処理装置１０１で利用可能な外部環境へメールを転送する機能である。
【００６５】
メール画面７０１で、携帯端末１０３（特許太郎さんの携帯端末）から携帯端末１０２（特許花子さんの携帯端末）がメールを受信した画面である。
【００６６】
ここで、留守番転送ＤＢに留守番宛先情報として特許太郎さんの携帯端末のアドレスが登録されていた場合に、対応して登録されている転送先のアドレスへメールを転送する。
【００６７】
メール画面７０２は、留守番転送ＤＢに登録されている内容と一致した場合に、情報処理装置１０１にメール画面７０１のメールが転送された画面である。本文に、「Ｆｒｏｍ」にアドレス（この場合はアドレス帳に登録されている表示名）、「Ｔｏ」には元メールで指定されたアドレス（この場合は、特許花子さんの携帯端末のアドレス）、「ＭＳ」には、元メールの本文として書かれた内容が記載されている。
【００６８】
このメールを、情報処理装置１０１を利用した外部環境で特許花子さんが受信することができる。
【００６９】
図８は、本発明の実施形態における各種データベース（ＤＢ）の一例を示す図である。
【００７０】
留守番転送ＤＢ８０１、フォーマットＤＢ８０２およびパスワードＤＢ８０３が管理されており、それぞれ、留守番情報記憶部２１０フォーマット記憶部２０９およびパスワード記憶部２０６に記憶されている。
【００７１】
留守番転送ＤＢ８０１には、留守番宛先情報と転送先宛先情報が記憶されている。これは、留守番機能が「ＯＮ」の状態で、留守番宛先情報のメールアドレスから、携帯端末１０２のアドレスにメールを受信した際に、転送するメールアドレスを転送先宛先情報として記憶したものである。
【００７２】
メール画面７０１の差出人である「ｔａｒｏ＠ｍｏｂｉ．ｎｅ．ｊｐ」が留守番宛先情報として設定されており、転送先宛先情報として「ｇａｉｂｕ＠ｔｅｓｔ．ｎｅ．ｊｐ」が設定されているので、メール画面７０２で、外部環境である情報処理装置１０１にメールが転送される。
【００７３】
留守番転送ＤＢへのアドレスの登録は、事前に設定しておくことも可能であるし、後述する留守番機能を使ってメールを送信した際に登録するようにすることも可能である。
【００７４】
フォーマットＤＢ８０２は、メールを受信した際に参照されるＤＢで、メールの件名が設定されている。メールの件名がフォーマットの取得の場合には、そのフォーマットについても登録されている。後述する図１４の件名設定画面により設定された件名が登録されている。
【００７５】
フォーマットタイプには、「留守番機能用」、「パスワードリセット用」、「留守番機能」および「パスワードリセット」の４種類があり、「留守番機能用」および「パスワードリセット用」のフォーマットについては、図５の５０２、図６の６０２で説明したとおりであり、この件名のメールを受信した際には、対応したフォーマットタイプのメールを送信元に返信する。
【００７６】
件名が「お留守番メール」および「パスワードリセット依頼」のメールを受信した際は、それぞれの件名に対応した処理を実行する。
【００７７】
パスワードＤＢ８０３は、あらかじめ設定されたパスワードが記憶されている。バージョン管理を行うこともできる。用途ごとに複数のパスワード設定することもできる。パスワードリセットメールによりパスワードをリセットすることも可能である。
【００７８】
以下、図９〜１３のフローチャートを利用して携帯端末１０２の処理手順について説明する。
【００７９】
図９は、本発明の実施形態における携帯端末１０２の処理全体を示すフローチャートである。
【００８０】
ステップＳ９０１で携帯端末１０２にメールなどの着信があった時に処理が開始される。ステップＳ９０２で、受信したメールの送信元が留守番ＤＢ８０１の「留守番宛先情報」に登録されているかどうかを確認する。登録されている場合は、ステップＳ９０３に進み、留守番転送処理を実行する。各処理の詳細ついては後述する。
【００８１】
一方、登録されていな場合には、ステップＳ９０４に進む。ステップＳ９０４では、受信したメールの件名や本文を確認（解析）する。受信した内容から、「フォーマット取得」なのか「留守番メール」なのか「パスワードリセット」なのか通常のメールなのかを判定する。
【００８２】
メールの件名から「フォーマット取得」と判断した場合にはステップＳ９０５に進みフォーマット取得処理を実行する。本実施形態では、メールの件名が、「留守番フォーマット取得」となっている場合と「パスワードフォーマット取得」となっている場合に、「フォーマット取得」であると判定している。その他、「フォーマット取得」が含まれるものを対象とするように設定することもできるし、本文に特定のキーワードが含まれる場合に対象とするように設定することもできる。他の処理かどうかの判定方法についても同様である。メールの件名から判定する場合には、フォーマットＤＢが利用される。
【００８３】
メールの内容から「留守番メール」と判定した場合には、ステップＳ９０６に進み留守番処理を実行する。
【００８４】
メールの内容から「パスワードリセット」を判定した場合には、ステップＳ９０７に進みパスワードリセット処理を実行する。
【００８５】
それ以外のメールの場合には、通常のメールを受信したときと同様に通常のメール処理を行い、処理を終了する。
【００８６】
図１１は、本発明の実施形態における携帯端末１０２のフォーマット取得処理の一例を示すフローチャートである。図９のステップＳ９０５の処理に対応し、画面イメージは図６に示したとおりである。
【００８７】
ステップＳ１１０１で、メールの本文を解析し、ステップＳ１１０２で本文の「ＰＷ」に書かれた文字列がパスワードＤＢ８０３に登録してあるものと一致するかどうかの判定を行う。一致しない場合処理を終了する一方、一致する場合は、ステップＳ１１０３に進む。
【００８８】
ステップＳ１１０３では、どの種類のフォーマット取得なのかを判定する。本実施形態では、フォーマットＤＢ８０２に２種類のタイプ「留守番機能」と「パスワードリセット」が設定されているので、メールの件名からどちらの種類なのかを判定する。
【００８９】
「留守番機能」であった場合、ステップＳ１１０４に進み、留守番機能用のフォーマットをフォーマットＤＢから取得する。フォーマットは、例えばメール画面５０２に示されるような内容であり、「ＰＷ」や「ＭＳ」や「ＵＳ」を含むものである。ステップＳ１１０５では、返信を行うために、受信したメールアドレスを宛先に設定する。ステップＳ１１０６で件名に「留守番依頼」と設定しステップＳ１１０７に進む。
【００９０】
ステップＳ１１０３で、「パスワードリセット」と判定された場合は、ステップＳ１１０９に進み、パスワードリセット用のフォーマットをフォーマットＤＢから取得する。フォーマットは例えばメール画面６０２に示されるような内容であり、「ＰＷ」や「ＲＳ」を含むものである。ステップＳ１１１０では、返信を行うために、受信したメールアドレスを宛先に設定する。ステップＳ１１１１で件名に「パスワードリセット依頼」と設定しステップＳ１１０７に進む。
【００９１】
ステップＳ１１０７では、本文にフォーマットＤＢから取得したフォーマットを設定し、ステップＳ１１０８で返信先（受信したメールアドレス）にメールを送信し、処理を終了する。
【００９２】
図１２は、本発明の実施形態における携帯端末１０２の留守番処理の一例を示すフローチャートである。図９のステップＳ９０６の処理に対応し、携帯端末での画面イメージは図５に示したとおりである。
【００９３】
まずステップＳ１２０１で携帯端末が受信したメールの本文を解析し、ステップＳ１２０２では「ＰＷ」に記入された文字列がパスワードＤＢに登録してあるパスワードと一致するか確認する。一致しない場合は処理を終了する。
【００９４】
一致する場合は、ステップＳ１２０３にて「ＵＳ」に記入された文字列がアドレス帳４０２に登録されているかどうか確認する。ここで、アドレス帳に登録されているとは、メールアドレス、氏名、ヨミ、グループ名などが登録されていればよい。アドレス帳に登録されていない場合には、処理を終了する。
【００９５】
アドレス帳に登録がある場合は、ステップＳ１２０４にてアドレス帳に対応する宛先情報が設定されているか確認する。宛先情報とは例えばメールアドレスである。宛先情報が設定されていない場合は、処理を終了する。
【００９６】
宛先情報が設定されている場合は、ステップＳ１２０５にて「ＳＥ」キーワードが設定されているかを確認する。「ＳＥ」キーワードとは、セキュリティチェックのことで、メールの送信元（ここでは、外部環境の情報処理装置）に対して送信する前にメール内容の確認を行わせるべくメールを送信しておき、返信時に付与されるものである。
【００９７】
ステップＳ１２０５にて「ＳＥ」キーワードがあると判定された場合には、ステップＳ１２１１に進み、このチェックがＯＫ（実施例中のフラグでは「１」）になっていれば、メールの内容の確認済みでＯＫということが分かるのでステップＳ１２０７に進む。一方、ＮＧ（実施例中のフラグでは「０」）になっていれば、メール内容に不備があると判断し、処理を終了する。
【００９８】
ステップＳ１２０６では、宛先確認フラグの確認を行う。宛先確認フラグは後述する携帯端末の各種設定で設定することが可能な項目である。このフラグが「ＯＮ」になっている場合は、ステップＳ１２１２に進み、メールの送信元（ｇａｉｂｕ＠ｔｅｓｔ．ｎｅ．ｊｐ）を宛先として設定する。
【００９９】
ステップＳ１２１３では、ステップ１２０１で受信したメールのから「ＰＷ」を削除して本文に設定する。ステップＳ１２１４では、「ＵＳ」キーワードに設定されていた宛先のグループを「ＧＰ」として設定する。ここでグループ情報を設定するかどうかは任意の項目となる。次にステップＳ１２１５で、本文に「ＳＥ」キーワードの入力を求める旨の文字列を設定し、ステップＳ１２１６で、ステップＳ１２１２〜Ｓ１２１５において設定された内容のメールを送信して処理を終了する。ここで送信されたメールへの返信が、ステップＳ１２０５で「ＳＥ」キーワードがあると判定されることになる。
【０１００】
一方、ステップＳ１２０６で宛先確認フラグが「ＯＦＦ」であると判定された場合、ステップＳ１２０７でメールの宛先に、ステップＳ１２０４で確認したアドレス帳から取得した宛先情報（特許太郎に対応したメールアドレス）を設定する。
【０１０１】
ステップＳ１２０８では、本文に、「ＭＳ」キーワードとして設定されたメッセージを設定する。図５のメール画面５０３では「今日の約束１８時に変更！」と記載されているキーワードである。
【０１０２】
ステップＳ１２０９で、留守番ＤＢの「留守番宛先情報」にステップＳ１２０７で設定した宛先情報を設定し、「転送先宛先情報」にステップＳ１２０１で受信したメールの送信元（ｇａｉｂｕ＠ｔｅｓｔ．ｎｅ．ｊｐ）を宛先情報として登録する。
【０１０３】
ステップＳ１２１０で留守番転送モードに移行し、ステップＳ１２１６で、ステップＳ１２０７〜Ｓ１２０９において設定された内容のメールを送信して処理を終了する。
【０１０４】
なお、留守番転送モードとは、留守番ＤＢに「留守番宛先情報」や「転送先宛先情報」が設定されている状態としてもよいし、留守番転送モードが「ＯＮ」か「ＯＦＦ」を意味する不図示のフラグを持つようにしてもよい。この状態で「留守番宛先情報」に指定されたアドレスからメールを受信すると、外部環境の情報処理装置で利用可能な「転送先宛先情報」へメールを転送する。留守番転送モード時に実行される留守番転送処理について詳細に説明する。
【０１０５】
図１０は、本発明の実施形態における携帯端末１０２留守番転送処理の一例を示すフローチャートである。図９のステップＳ９０３に対応し、携帯端末での画面イメージは図７に示したとおりである。
【０１０６】
ステップＳ１００１で、留守番ＤＢに受信したメールの差出人（ｔａｒｏ＠ｍｏｂｉ．ｎｅ．ｊｐ）である「留守番宛先情報」に対応した「転送先宛先情報」が設定されているかを確認する。
【０１０７】
設定されていない場合は、処理を終了し、設定されている場合は、ステップＳ１００２に進む。
【０１０８】
ステップＳ１００２では、留守番転送モードが「ＯＮ」になっているかを判定し、「ＯＦＦ」の場合は処理を終了する。一方、「ＯＮ」であった場合、ステップＳ１００３に進み、留守番ＤＢから対応する転送先宛先情報を取得する。なお、ステップＳ１１０１とステップＳ１１０２の処理順序は逆になっても構わない。
【０１０９】
ステップＳ１００４で、取得した転送先宛先情報（ｇａｉｂｕ＠ｔｅｓｔ．ｎｅ．ｊｐ）を宛先に知っていし、ステップＳ１００５で、件名に「留守番転送：渋谷（受信したメールの件名）」を設定する。
【０１１０】
ステップＳ１００６で、本文に「Ｆｒｏｍ：特許太郎（受信したメールの送信者）」「Ｔｏ：ｈａｎａｋｏ＠ｍｏｂｉ．ｎｅ．ｊｐ（受信したメールの宛先）」、「ＭＳ：りょーかい！！（受信したメールの本文）」を設定し、ステップＳ１００７で設定した内容のメールを送信する。
【０１１１】
これによれば、特許太郎さんは、特許花子さんの携帯端末のアドレス宛てにメールを送信し、そのメールを別のアドレスを利用する外部環境で受信することができるので、特許太郎さんは、特許花子さんが利用する外部環境のメールアドレスを意識せずにメールを送信することができる。また、外部環境のメールアドレスを相手に知られることなくメールの送受信をすることができる。
【０１１２】
外部環境に受信したメールの送信者を知られたくないような場合には、Ｆｒｏｍを記載しないように設定することで対応可能である。
【０１１３】
図１３は、本発明の実施形態におけるパスワードリセット処理の一例を示すフローチャートである。図９のステップＳ９０７に対応し、携帯端末での画面イメージは図６に示したとおりである。
【０１１４】
ステップＳ１３０１で、メール本文を解析し、ステップＳ１３０２では、「ＰＷ」に記入された文字列がパスワードＤＢに登録してあるパスワードと一致するか確認する。一致しない場合は処理を終了する。
【０１１５】
一致する場合は、ステップＳ１３０３にて「ＲＳ」キーワードに「１」が設定してあるかを確認する。「１」以外が設定されているもしくは何も設定されていない場合は、処理を終了する。「１」が設定されている場合は、ステップＳ１３０４に進む。
【０１１６】
ステップＳ１３０４では、パスワード管理部２０５は、現在のパスワードＤＢに設定されているパスワードをリセットする。パスワードＤＢから削除するようにしてもよいし、バージョンを付与し残すようにしてもよい。
【０１１７】
ステップＳ１３０５では、新しいパスワードを作成し、ステップＳ１３０６にてメールの宛先に自分自身の携帯端末１０２のアドレス（ｈａｎａｋｏ＠ｍｏｂｉ．ｎｅ．ｊｐ）を設定し、ステップＳ１３０７で、件名に「パスワードの再設定」を設定する。
【０１１８】
ステップＳ１３０８で携帯端末に新しく作成したパスワードを設定し、ステップＳ１３０９にてメールを送信する。なお、ここで作成するパスワードは、携帯端末がランダムに作成するようにしてもよいし、規則性をもって作成するようにしてもよい。
【０１１９】
図１４は、本発明の実施形態における携帯端末１０２の留守番機能に係る各種設定画面の一例を示す図である。
【０１２０】
不図示のメニューを選択することで、携帯端末１０２上に留守番設定画面１４０１が表示されるものである。登録ボタン１４０２を押下すると設定した情報を登録し終了し、キャンセルボタン１４０３を押下すると設定した情報を保存せずに終了する。
【０１２１】
パスワードタブ１４１１、件名タブ１４２１および、その他タブ１４３１から構成されている。
【０１２２】
パスワードタブ１４１１では、パスワード関連の情報を設定することができる。現在のパスワード１４２１、新しいパスワード１４１３および新しいパスワード（確認用）１４１４を入力することでパスワードの設定／変更を行うことができる。入力した現在のパスワードがパスワードＤＢに登録されているパスワードと一致した場合にパスワードを変更することができる。設定した内容はパスワードＤＢに記憶される。
【０１２３】
件名設定タブは１４２１では、各種機能に移行するための件名を設定することができる。フォーマット取得（留守番機能）１４２２、フォーマット取得（パスワードリセット）１４２３、お留守番機能１４２４、パスワードリセット機能１４２５の各種機能を利用するための件名を設定することができる。ここで設定された内容がフォーマットＤＢに登録される。
【０１２４】
登録ボタン１４０２押下時、チェックボックス１４２６にチェックがある項目のみフォーマットＤＢの件名に登録される。
【０１２５】
その他設定１４３１タブでは、その他の情報を設定する。本実施形態では、宛先確認１４３２、留守番転送１４３３の設定ができる。
【０１２６】
宛先確認１４３２にチェックをすると、留守番メール受信時に宛先確認メールを送信する。チェックをしない場合はお留守番メール受信時に、送信先に確認なしでメールを送信する。図１２のステップＳ１２０６の判定に利用される。
【０１２７】
留守番転送１４３３にチェックをすると、留守番の留守番宛先情報に登録した相手からのメールを受信した場合、それに対応した転送先宛先情報に登録した相手にメールを転送する。図１０のステップＳ１００２の判定に利用される。
【０１２８】
図１５は、本発明の実施形態における携帯端末１０２のモード切り替えに係る画面遷移の一例を示す図である。
【０１２９】
留守番転送モード１５０１と通常モード１５０２の画面遷移図である。通常モード１５０２時に、留守番機能が実行されると留守番転送モード１５０１に遷移する。留守番転送モード１５０１時に、ユーザによりＯＫボタン１５０３が押下されると、通常モード４０２に遷移するようになっている。
【０１３０】
以上説明したように、本実施の形態によれば、携帯端末に登録されている宛先との送受信を遠隔から操作することが可能になる。
【０１３１】
なお、上述した各種データの構成及びその内容はこれに限定されるものではなく、用途や目的に応じて、様々な構成や内容で構成されることは言うまでもない。
【０１３２】
また、本発明におけるプログラムは、各フローチャートの処理方法をコンピュータが実行可能なプログラムであり、本発明の記憶媒体は各フローチャートの処理方法をコンピュータが実行可能なプログラムが記憶されている。
【０１３３】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１３４】
この場合、記録媒体から読み出されたプログラム自体が本発明の新規な機能を実現することになり、そのプログラムを記憶した記録媒体は本発明を構成することになる。
【０１３５】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１３６】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３８】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１３９】
なお、上述した各実施形態およびその変形例を組み合わせた構成も全て本発明に含まれるものである。
【符号の説明】
【０１４０】
１０１  情報処理装置
１０２  携帯端末装置
１０３  携帯端末装置
１０４  公衆回線
【図１】
2015172955.tif 000003
【図２】
2015172955.tif 000004
【図３】
2015172955.tif 000005
【図４】
2015172955.tif 000006
【図５】
2015172955.tif 000007
【図６】
2015172955.tif 000008
【図７】
2015172955.tif 000009
【図８】
2015172955.tif 000010
【図９】
2015172955.tif 000011
【図１０】
2015172955.tif 000012
【図１１】
2015172955.tif 000013
【図１２】
2015172955.tif 000014
【図１３】
2015172955.tif 000015
【図１４】
2015172955.tif 000016
【図１５】
2015172955.tif 000017
【手続補正書】
【提出日】平成27年5月14日(2015.5.14)
【手続補正２】
【補正対象書類名】明細書
【補正対象項目名】０００９
【補正方法】変更
【補正の内容】
【０００９】
そこで、本願発明では、遠隔からメールを利用してメール送受信装置による送受信を柔軟に操作することが可能なメール送受信装置を提供することを課題とする。
【手続補正３】
【補正対象書類名】明細書
【補正対象項目名】００１０
【補正方法】変更
【補正の内容】
【００１０】
本発明は、メールの送受信機能を有するメール送受信装置であって、メールの通信相手および前記メールの通信相手に対してメールの送信を行うか否かの情報を含む第１のメールを受信する第１のメール受信手段と、前記第１のメールに前記メールの通信相手に対してメールの送信を行う情報が含まれる場合、前記第１のメールに含まれる通信相手に対して送信する第２のメールを生成する第２のメール生成手段と、前記第２のメール生成手段により生成されたメールを前記メールの通信相手に対して送信する第２のメール送信手段と、を有し、前記第１のメールに前記メールの通信相手に対してメールの送信を行う情報が含まれない場合、前記第２のメールが送信されないよう制御することを特徴とする。
【手続補正４】
【補正対象書類名】明細書
【補正対象項目名】００１１
【補正方法】変更
【補正の内容】
【００１１】
本発明によれば、遠隔からメールを利用してメール送受信装置による送受信を柔軟に操作することが可能なメール送受信装置を提供することが可能となる。
【手続補正５】
【補正対象書類名】特許請求の範囲
【補正対象項目名】全文
【補正方法】変更
【補正の内容】
【特許請求の範囲】
【請求項１】
メールの送受信機能を有するメール送受信装置であって、
メールの通信相手および前記メールの通信相手に対してメールの送信を行うか否かの情報を含む第１のメールを受信する第１のメール受信手段と、
前記第１のメールに前記メールの通信相手に対してメールの送信を行う情報が含まれる場合、前記第１のメールに含まれる通信相手に対して送信する第２のメールを生成する第２のメール生成手段と、
前記第２のメール生成手段により生成されたメールを前記メールの通信相手に対して送信する第２のメール送信手段と、を有し、
前記第１のメールに前記メールの通信相手に対してメールの送信を行う情報が含まれない場合、前記第２のメールが送信されないよう制御することを特徴とするメール送受信装置。
【請求項２】
前記第２のメール送信手段により送信された前記第２のメールの通信相手から前記メール送受信装置のアドレス宛ての返信メールを受信した場合、当該第２のメールの通信相手からの返信メールを前記第１のメールの受付元に対して転送する返信メール転送手段を更に有することを特徴とする請求項１記載のメール送受信装置。
【請求項３】
前記第２のメールを送信する前に確認するか否かの設定が可能な確認設定手段を有し、
前記確認設定手段により確認をする設定がなされている場合、前記第２のメールを前記第１のメールの受付元に対して送信し、一方、確認をする設定がなされていない場合、前記第２のメールを前記通信相手に対して送信することを特徴とする請求項１または２記載メール送受信装置。
【請求項４】
前記返信メール転送手段により返信メールを転送するか否かを切替え可能な転送切替え手段を更に有し、
前記返信メール転送手段は、前記返信メールを転送する設定になっている場合には、前記受信した通信相手からの返信メールを前記受付元に対して転送し、一方、前記返信メールを転送する設定になっていない場合には、前記受信した通信相手からの返信メールの転送を行わないことを特徴とする請求項２または３記載のメール送受信装置。
【請求項５】
前記第２のメール生成手段は、前記第１のメール受信手段で受信したメールアドレスを送信元としたメールを生成することを特徴とする請求項１乃至４のいずれか１項に記載のメール送受信装置。
【請求項６】
前記メールを送受信するアドレスを管理可能なアドレス管理手段を有し、
前記アドレス管理手段は、少なくとも前記第１のメールの受付元ユーザのアドレス、および前記第２のメール送信手段によって送信した第２のメールの通信相手のアドレスを管理しており、
前記返信メール転送手段は、前記第２のメールの通信相手が前記アドレス管理手段にて管理されている場合に前記受付元のアドレスに対して前記返信メールを転送することを特徴とする請求項２乃至５のいずれか１項に記載のメール送受信装置。
【請求項７】
前記第２のメール送信手段は、前記第１のメールに含まれる通信相手が前記アドレス管理手段にて管理されている場合に、前記第２のメールを前記通信相手に対して送信することを特徴とする請求項６項記載のメール送受信装置。
【請求項８】
前記第２のメール送信手段は、送信元を当該メール送受信装置のアドレスとなるように前記第２のメールを送信することを特徴とする請求項１乃至７のいずれか１項に記載のメール送受信装置。
【請求項９】
前記第２のメール送信手段によってメールを送信するためのパスワードが設定されており、
前記第２のメール送信手段は、前記第１のメールに前記パスワードが含まれている場合に前記通信相手に対して当該第２のメールを送信することを特徴とする請求項１乃至８のいずれか１項に記載のメール送受信装置。
【請求項１０】
メールの送受信機能を有するメール送受信装置の制御方法であって、
メールの通信相手および前記メールの通信相手に対してメールの送信を行うか否かの情報を含む第１のメールを受信する第１のメール受信ステップと、
前記第１のメールに前記メールの通信相手に対してメールの送信を行う情報が含まれる場合、前記第１のメールに含まれる通信相手に対して送信する第２のメールを生成する第２のメール生成ステップと、
前記第２のメール生成ステップにより生成されたメールを前記メールの通信相手に対して送信する第２のメール送信ステップと、を有し、
前記第１のメールに前記メールの通信相手に対してメールの送信を行う情報が含まれない場合、前記第２のメールが送信されないよう制御することを特徴とするメール送受信装置の制御方法。
【請求項１１】
メールの送受信機能を有するメール送受信装置を、
メールの通信相手および前記メールの通信相手に対してメールの送信を行うか否かの情報を含む第１のメールを受信する第１のメール受信手段と、
前記第１のメールに前記メールの通信相手に対してメールの送信を行う情報が含まれる場合、前記第１のメールに含まれる通信相手に対して送信する第２のメールを生成する第２のメール生成手段と、
前記第２のメール生成手段により生成されたメールを前記メールの通信相手に対して送信する第２のメール送信手段と、を有し、
前記第１のメールに前記メールの通信相手に対してメールの送信を行う情報が含まれない場合、前記第２のメールが送信されないよう制御することを特徴とするメール送受信装置として機能させるためのプログラム。